(57)【特許請求の範囲】
【請求項１】
テレビジョンのフロントキャビネットに嵌合すると共に、切り欠き部を有する凸形状のリブ部を備え、上記リブ部は上記切り欠き部により分離できるよう構成されていることを特徴とするテレビジョンのバックキャビネット。
【請求項２】
上記凸形状のリブ部に設けられた切り欠き部は、Ｖ字形状の切り欠き部であることを特徴とする請求項１記載のテレビジョンのバックキャビネット。
【請求項３】
上記凸形状のリブ部に設けられた切り欠き部は、スリット状の切り欠き部であることを特徴とする請求項１記載のテレビジョンのバックキャビネット。
【請求項４】
テレビジョンのフロントキャビネットに嵌合すると共に、ネジによって装着された凸形状のリブ部を備え、上記リブ部は上記ネジを外すことにより分離できるよう構成されていることを特徴とするテレビジョンのバックキャビネット。
【発明の詳細な説明】
【０００１】
【発明の属する技術分野】
この発明はリサイクルが可能なテレビジョンのバックキャビネットに関するものである。
【０００２】
【従来の技術】
テレビジョンの外箱（キャビネット）は、一般的にバックキャビネットおよびフロントキャビネットから構成され、バックキャビネットとフロントキャビネットには、組み立て時に嵌合させる凸形状のリブと凹形状のガイドリブが設けられている。
また、テレビジョンの使用時において、内蔵されているスピーカーの振動に伴ってフロントキャビネットとバックキャビネットが振動し、両者の嵌合部（接触部）において異音が発生するという問題があった。
【０００３】
図５、図６および図７は従来のテレビジョンを示す図で、図５はテレビジョンの外観斜視図、図６は図５に示すテレビジョンのバックキャビネットの外観斜視図、図７は図５のＡ−Ａ線に沿った断面図である。
図において、１はテレビジョンのバックキャビネット、５はテレビジョンのフロントキャビネットで、バックキャビネット１とフロントキャビネット５の嵌合部には、バックキャビネット１側に凸形状のリブ部１ａ、フロントキャビネット５側に凹形状のガイドリブ部５ａがそれぞれ設けられている。２はバックキャビネット１のリブ部１ａに貼り付けられた不織布、６はテレビジョンに内蔵されたスピーカーである。
本従来例においては、バックキャビネット１のリブ部１ａに不織布２を両面テープを用いて貼り付けることにより、バックキャビネット１とフロントキャビネット５の振動による嵌合部（接触部）における異音の発生を抑制していた。
【０００４】
【発明が解決しようとする課題】
従来のテレビジョンのバックキャビネットでは、バックキャビネット１とフロントキャビネット５が振動することにより嵌合部（接触部）で発生する異音を、バックキャビネット１の嵌合部であるリブ部１ａに両面テープを用いて不織布２を貼り付けることにより抑制しており、バックキャビネット１のリサイクル時においては、バックキャビネット１と不織布２を構成する材料が異なり、不織布２を貼り付けた状態ではバックキャビネット１をリサイクルすることができないため、不織布２をバックキャビネット１から分離することが必要であるが、バックキャビネット１と不織布２との分離は難しくかつ分離に時間を要するという問題があった。
【０００５】
この発明は、上記のような問題点を解消するためになされたもので、テレビジョンのバックキャビネットの嵌合部に貼付された不織布を簡単にバックキャビネットから分離でき、バックキャビネットのリサイクルを容易に行うことができるテレビジョンのバックキャビネットを得ることを目的とする。
【０００６】
【課題を解決するための手段】
この発明に係わるテレビジョンのバックキャビネットは、テレビジョンのフロントキャビネットに嵌合すると共に、切り欠き部を有する凸形状のリブ部を備え、リブ部は切り欠き部により分離できるよう構成されたものである。
また、凸形状のリブ部に設けられた切り欠き部は、Ｖ字形状の切り欠き部である。
また、凸形状のリブ部に設けられた切り欠き部は、スリット状の切り欠き部である。
【０００７】
また、テレビジョンのフロントキャビネットに嵌合すると共に、ネジによって装着された凸形状のリブ部を備え、リブ部はネジを外すことにより分離できるよう構成されたものである。
【０００８】
【発明の実施の形態】
実施の形態１．
以下、この発明の一実施の形態であるテレビジョンのバックキャビネットを図について説明する。図１はこの発明の実施の形態１によるテレビジョンのバックキャビネットの外観斜視図、図２は図１の符号Ａで示した部分（バックキャビネットのリブ部分）の拡大斜視図である。
図において、１はテレビジョンのバックキャビネットで、テレビジョンのフロントキャビネット（図示せず）との嵌合部として凸形状のリブ部１ａを有している。１ｂはリブ部１ａに設けられたＶ字形状の切り欠き部、２はバックキャビネット１のリブ部１ａに貼り付けられた不織布で、不織布２はＶ字形状の切り欠き部１ｂよりリブ部１ａの先端側に貼付される。
【０００９】
本実施の形態のバックキャビネット１は、リブ部１ａにＶ字形状の切り欠き部１ｂを設け、リサイクル時には、リブ部１ａをＶ字形状の切り欠き部１ｂで割ることによって、バックキャビネット１と構成材料が異なる不織布２が貼付されている部分を分離する。
【００１０】
本実施の形態によれば、バックキャビネット１のリブ部１ａにＶ字形状の切り欠き部１ｂを設け、バックキャビネット１のリサイクル時には、リブ部１ａをＶ字形状の切り欠き部１ｂで割ることによって、バックキャビネット１と構成材料が異なる不織布２が貼付されている部分を容易に分割することができる。
【００１１】
実施の形態２．
実施の形態１では、バックキャビネット１のリブ部１ａにＶ字形状の切り欠き部１ｂを設けたが、図３に示すように、リブ部１ａにスリット状の切り欠き部１ｃを設け、バックキャビネット１のリサイクル時には、不織布２が貼付されているリブ部１ａをスリット形状の切り欠き部１ｃで割るようにしても実施の形態１と同様の効果が得られる。
【００１２】
図３はこの発明の実施の形態２を示すバックキャビネットのリブ部分の拡大斜視図である。図において、１ｃはリブ部１ａに設けられたスリット状の切り欠き部で、不織布２はスリット状の切り欠き部１ｃよりリブ部１ａの先端側に貼付される。なお、その他の構成は実施の形態１と同様であるので説明を省略する。
【００１３】
実施の形態３．
実施の形態１では、リブ部１ａはバックキャビネット１と一体で形成されていたが、図４に示すように、リブ３をバックキャビネット１と別部品で構成し、バックキャビネット１に設けたボス１ｄにネジ４を用いて固定する構造とし、バックキャビネット１のリサイクル時には、ネジ４を外すことにより不織布２が貼付されているリブ３を分離するようにしても実施の形態１と同様の効果が得られる。
【００１４】
図４はこの発明の実施の形態３を示すバックキャビネットのリブ部分の拡大断面図である。図において、３はバックキャビネット１と別部品で構成されたリブ、１ｄはバックキャビネット１に設けられたボス、４はネジで、バックキャビネット１に設けられたボス１ｄにネジ４を用いてリブ３を固定する。なお、その他の構成は実施の形態１と同様であるので説明を省略する。
【００１５】
【発明の効果】
以上のように、この発明によれば、テレビジョンのバックキャビネットにおいて、バックキャビネットと構成材料が異なる不織布が貼付されている部分を容易に分離できる構造とすることにより、バックキャビネットのリサイクルを容易に行うことができるテレビジョンのバックキャビネットを得ることができる。
【図面の簡単な説明】
【図１】  この発明の実施の形態１によるテレビジョンのバックキャビネットを示す外観斜視図である。
【図２】  この発明の実施の形態１によるバックキャビネットのリブ部分を示す拡大斜視図である。
【図３】  この発明の実施の形態２によるバックキャビネットのリブ部分を示す拡大斜視図である。
【図４】  この発明の実施の形態３によるバックキャビネットのリブ部分を示す拡大断面図である。
【図５】  従来のこの種テレビジョンを示す外観斜視図である。
【図６】  従来のテレビジョンのバックキャビネットを示す拡大斜視図である。
【図７】  従来のテレビジョンのバックキャビネットのリブ部分を示す拡大断面図である。
【符号の説明】
１  バックキャビネット、１ａ  リブ部、１ｂ  Ｖ字形状の切り欠き部、
１ｃ  スリット状の切り欠き部、１ｄ  ボス、２  不織布、３  リブ、
４  ネジ。
【図１】
0004518696.tif 000002
【図２】
0004518696.tif 000003
【図３】
0004518696.tif 000004
【図４】
0004518696.tif 000005
【図５】
0004518696.tif 000006
【図６】
0004518696.tif 000007
【図７】
0004518696.tif 000008